(57)【要約】      （修正有）【課題】収納時には、コンパクトになって小さいスペースで備蓄できると共に、使用時には、一人で持ち運びや設置を簡単且つ容易に行え、しかも、設置スペースが少なくて済む応急給水栓を提供する。【解決手段】鉛直配管２と、鉛直配管２の下端部に設けられ、給水ホース３の下流側端部が接続される入水接続口と、鉛直配管２の上端部に設けられ、複数の吐出口を備えた分岐状配管４と、分岐状配管４の各吐出口に接続した複数の水栓５と、鉛直配管２に設けられ、放射状に折り畳み展開自在な複数本の支持脚６ａを備えた脚部６とから成る応急給水栓１を構成する。さらに、前記脚部６を、複数本の支持脚６ａが放射状に開いて鉛直配管２及び分岐状配管４を支える開放位置と、複数本の支持脚６ａが鉛直配管２に沿う姿勢となる折り畳み位置とに亘って開閉自在に構成する。【選択図】図１
0003181093.tif 000002
【実用新案登録請求の範囲】
【請求項１】
鉛直配管（２）と、鉛直配管（２）の下端部に設けられ、給水ホース（３）の下流側端部が接続される入水接続口と、鉛直配管（２）の上端部に設けられ、複数の吐出口を備えた分岐状配管（４）と、分岐状配管（４）の各吐出口に接続した複数の水栓（５）と、鉛直配管（２）に設けられ、放射状に折り畳み展開自在な複数本の支持脚（６ａ）を備えた脚部６とから成る応急給水栓（１）であって、前記脚部（６）は、複数本の支持脚（６ａ）が放射状に開いて鉛直配管（２）及び分岐状配管（４）を支える開放位置と、複数本の支持脚（６ａ）が鉛直配管（２）に沿う姿勢となる折り畳み位置とに亘って開閉自在に構成されていることを特徴とする応急給水栓。
【請求項２】
前記鉛直配管（２）に脚部（６）を放射状に折り畳み展開自在に取り付け、鉛直配管（２）と分岐状配管（４）と脚部（６）とを一体構造としたことを特徴とする請求項１に記載の応急給水栓。
【請求項３】
前記脚部（６）は、鉛直配管（２）に長手方向へスライド自在に取り付けたスライド体（６ｂ）と、スライド体（６ｂ）に放射状で且つ回動自在に取り付けられ、先端部が地面に接地する複数本の支持脚（６ａ）と、複数本の支持脚（６ａ）にそれぞれ対応して配置され、一端部が対応する支持脚（６ａ）に回動自在に連結されると共に、他端部が鉛直配管（２）に回動自在に連結された複数本のステー（６ｃ）とから成り、スライド体（６ｂ）又は何れか一本の支持脚（６ａ）の上端部を鉛直配管（２）の上端部側へ引き上げることによって複数本の支持脚（６ａ）及びステー（６ｃ）が放射状に開いて鉛直配管（２）及び分岐状配管（４）を支える開放位置になると共に、スライド体（６ｂ）又は何れか一本の支持脚（６ａ）の上端部を鉛直配管（２）の下端部側へ押し下げることによって複数本の支持脚（６ａ）及びステー（６ｃ）が鉛直配管（２）に沿う姿勢となる折り畳み位置へ折り畳まれる構成したことを特徴とする請求項１又は請求項２に記載の応急給水栓。
【請求項４】
前記鉛直配管（２）の中間部に、脚部（６）の開放時にスライド体（６ｂ）が当接して脚部（６）の開脚角度を決定するストッパー（１４）を設け、前記ストッパー（１４）の鉛直配管（２）への取り付け位置と各ステー（６ｃ）の支持脚（６ａ）及び鉛直配管（２）への連結個所は、脚部（６）が開放位置になったときに、ステー（６ｃ）が荷重を受けてステー（６ｃ）に支持脚（６ａ）を鉛直配管（２）側へ引き込む力が作用するようにし、この引き込む力と開脚した支持脚（６ａ）が荷重によって外方へ広がる力とが相殺されるようにしたことを特徴とする請求項３に記載の応急給水栓。
【請求項５】
前記分岐状配管（４）の各吐出口及び各吐出口に接続された複数の水栓５を鉛直配管（２）の軸線の周囲に配置する構成とし、応急給水栓（１）の脚部（６）が折り畳み位置になったときに、応急給水栓（１）の前後方向の最大幅と左右方向の最大幅とが同程度の幅になるようにしたことを特徴とする請求項１、請求項２、請求項３又は請求項４に記載の応急給水栓。
【請求項６】
前記各水栓５に、可撓性のホース（１１）を接続したことを特徴とする請求項１、請求項２、請求項３、請求項４又は請求項５に記載の応急給水栓。
【請求項７】
前記脚部（６）の各支持脚（６ａ）に、反射テープ（１３）を貼着又は蛍光塗料若しくは蓄光塗料を塗布したことを特徴とする請求項１、請求項２、請求項３、請求項４、請求項５又は請求項６に記載の応急給水栓。
【請求項８】
前記鉛直配管（２）の下端部に、給水ホース（３）の下流側端部が接続される入水接続口と、前記給水ホース（３）とは別の中継ホース（１５）の上流側端部が接続される吐出接続口とを設けたことを特徴とする請求項１、請求項２、請求項３、請求項４、請求項５、請求項６又は請求項７に記載の応急給水栓。
【考案の詳細な説明】
【技術分野】
【０００１】
本発明は、地震や台風等の災害時において、被災者に飲料水や生活用水を配給するのに用いるものであり、給水車や消火栓、災害用貯水槽、給水タンク、仮設水槽等の給水源から飲料水や生活用水を多くの被災者に迅速に分配できるようにした複数の蛇口やバルブを設けた応急給水栓の改良に係り、特に、収納時には、コンパクトになって小さいスペースで備蓄できると共に、使用時には、一人で持ち運びや設置を簡単且つ容易に行え、しかも、設置スペースが小さくて済むようにした折り畳み式の応急給水栓に関するものである。
【背景技術】
【０００２】
従前から地震等の災害時において、水道施設が被害を受けて給水が困難な場合、被災者の生命や生活を守るため、被災地に給水車を派遣して被災者に飲料水や生活用水の配給を行ったり、或いは、災害用貯水槽等から被災者に飲料水や生活用水の配給を行っている。
近年、このような場合、給水車等の給水源から水を一度に複数の被災者に迅速に分配できるように複数の蛇口や止水バルブを設けた応急給水栓が用いられるようになって来ている。
【０００３】
従来、この種の応急給水栓としては、例えば、実用新案登録第２５４０５６５号公報（特許文献１）に開示された災害用分給水装置、特許第２６８１４５９号公報（特許文献２）に開示された給水用配管装置、特開平１０−１８３６５号公報（特許文献３）に開示された簡易給水均等分配器、特開２００２−１３１６７号公報（特許文献４）に開示された緊急用臨時給水栓、実用新案登録第３１１４８７４号公報（特許文献５）に開示された緊急用応急給水栓、特開２００８−１２１３１６号公報（特許文献６）に開示された緊急用臨時給水栓、実用新案登録第３１３５８９１号公報（特許文献７）に開示された簡易給水栓セット、意匠登録第１３０３８８１号公報（特許文献８）に開示された給水架台等が知られている。
【０００４】
上述した各応急給水栓は、何れも複数の蛇口やバルブを備えているため、複数の被災者に水を迅速に分配することができ、至極便利である。特に、応急給水栓同士を直列状に連結できるタイプのものは、蛇口やバルブの数が増え、より多くの被災者に水を迅速に分配することができる。
【０００５】
ところで、前記応急給水栓にあっては、その殆んどのものが組立・分解タイプのものであり、使用時には、被災地で応急給水栓を組み立てて給水車等の給水源から被災者に水を分配供給し、また、水道施設が復旧した場合には、応急給水栓を分解して倉庫等に収納するようしている。
【０００６】
しかし、組立・分解タイプの応急給水栓は、組み立てに手数がかかって迅速な給水を行えないうえ、分解時にも手数がかかると云う問題があった。特に、初心者や老人等が応急給水栓を組立・分解する際には、前記問題がより一層顕著に顕れることになる。
【０００７】
また、組立・分解タイプの応急給水栓には、分解時に比較的コンパクトになって収納スペースが小さくて済むものもあるが、応急給水栓の中には分解しても長さがかなり長い部品や嵩張る部品を備えたものがあり、このような応急給水栓の場合には、収納スペースが大きくなり、備蓄のためのスペースの確保が困難になることがあった。
【０００８】
更に、応急給水栓が組立・分解タイプのものであっても、組み立てたときに極めて大型になるものがあり、設置スペースの小さい場所では、設置が困難になることがあった。
【０００９】
一方、一部の応急給水栓にあっては、折り畳み式となっているものがあるが、コンパクトに折り畳みできない構造及び形状になっており、使用時には、一人で持ち運びや組み立てを行い難いうえ、収納時には、収納スペースが大きくなり、備蓄のためのスペースの確保が困難になることがあった。
【先行技術文献】
【特許文献】
【００１０】
【特許文献１】実用新案登録第２５４０５６５号公報
【特許文献２】特許第２６８１４５９号公報
【特許文献３】特開平１０−１８３６５号公報
【特許文献４】特開２００２−１３１６７号公報
【特許文献５】実用新案登録第３１１４８７４号公報
【特許文献６】特開２００８−１２１３１６号公報
【特許文献７】実用新案登録第３１３５８９１号公報
【特許文献８】意匠登録第１３０３８８１号公報
【考案の概要】
【考案が解決しようとする課題】
【００１１】
本考案は、このような問題点に鑑みて為されたものであり、その目的は、収納時には、コンパクトになって小さいスペースで備蓄できると共に、使用時には、一人で持ち運びや設置を簡単且つ容易に行え、しかも、設置スペースが小さくて済むようにした折り畳み式の応急給水栓を提供することにある。
【課題を解決するための手段】
【００１２】
上記目的を達成するために、本考案の請求項１の考案は、鉛直配管と、鉛直配管の下端部に設けられ、給水ホースの下流側端部が接続される入水接続口と、鉛直配管の上端部に設けられ、複数の吐出口を備えた分岐状配管と、分岐状配管の各吐出口に接続した複数の水栓と、鉛直配管に設けられ、放射状に折り畳み展開自在な複数本の支持脚を備えた脚部とから成る応急給水栓であって、前記脚部は、複数本の支持脚が放射状に開いて鉛直配管及び分岐状配管を支える開放位置と、複数本の支持脚が鉛直配管に沿う姿勢となる折り畳み位置とに亘って開閉自在に構成されていることに特徴がある。
【００１３】
本考案の請求項２の考案は、鉛直配管に脚部を放射状に折り畳み展開自在に取り付け、鉛直配管と分岐状配管と脚部とを一体構造としたことに特徴がある。
【００１４】
本考案の請求項３の考案は、脚部が、鉛直配管に長手方向へスライド自在に取り付けたスライド体と、スライド体に放射状で且つ回動自在に取り付けられ、先端部が地面に接地する複数本の支持脚と、複数本の支持脚にそれぞれ対応して配置され、一端部が対応する支持脚に回動自在に連結されると共に、他端部が鉛直配管に回動自在に連結された複数本のステーとから成り、スライド体又は何れか一本の支持脚の上端部を鉛直配管の上端部側へ引き上げることによって複数本の支持脚及びステーが放射状に開いて鉛直配管及び分岐状配管を支える開放位置になると共に、スライド体又は何れか一本の支持脚の上端部を鉛直配管の下端部側へ押し下げることによって複数本の支持脚及びステーが鉛直配管に沿う姿勢となる折り畳み位置へ折り畳まれる構成としたことに特徴がある。
【００１５】
本考案の請求項４の考案は、鉛直配管の中間部に、脚部の開放時にスライド体が当接して脚部の開脚角度を決定するストッパーを設け、前記ストッパーの鉛直配管への取り付け位置と各ステーの支持脚及び鉛直配管への連結個所は、脚部が開放位置になったときに、ステーが荷重を受けてステーに支持脚を鉛直配管側へ引き込む力が作用するようにし、この引き込む力と開脚した支持脚が荷重によって外方へ広がる力とが相殺されるようにしたことに特徴がある。
【００１６】
本考案の請求項５の考案は、分岐状配管の各吐出口及び各吐出口に接続された複数の水栓を鉛直配管の軸線の周囲に配置する構成とし、応急給水栓の脚部が折り畳み位置になったときに、応急給水栓の前後方向の最大幅と左右方向の最大幅とが同程度の幅になるようにしたことに特徴がある。
【００１７】
本考案の請求項６の考案は、各水栓に可撓性のホースを接続したことに特徴がある。
【００１８】
本考案の請求項７の考案は、脚部の各支持脚に反射テープを貼着又は蛍光塗料若しくは蓄光塗料を塗布したことに特徴がある。
【００１９】
本考案の請求項８の考案は、鉛直配管の下端部に、給水ホースの下流側端部が接続される入水接続口と、前記給水ホースとは別の中継ホースの上流側端部が接続される吐出接続口とを設けたことに特徴がある。
【考案の効果】
【００２０】
本考案の応急給水栓は、鉛直配管と、鉛直配管の下端部に設けた入水接続口と、鉛直配管の上端部に設けた複数の吐出口を有する分岐状配管と、分岐状配管の各吐出口に接続した複数の水栓と、鉛直配管に設けられ、放射状に折り畳み展開自在な複数本の支持脚を備えた脚部とから成り、前記脚部が、複数本の支持脚が放射状に開いて鉛直配管及び分岐状配管を支える開放位置と、複数本の支持脚が鉛直配管に沿う姿勢となる折り畳み位置とに亘って開閉自在に構成されている。
その結果、本考案の応急給水栓は、収納時には、脚部を折り畳み位置にすることによって極めてコンパクトになり、小さいスペースで容易に備蓄することができる。
また、本考案の応急給水栓は、使用時には、脚部を折り畳み位置から開放位置に開くだけで良く、初心者や老人等であっても簡単且つ容易に設置することができる。しかも、収納する際にも、脚部を開放位置から折り畳み位置へ閉じるだけで良く、収納も簡単且つ容易に行える。
【００２１】
本考案の応急給水栓は、鉛直配管に脚部を放射状に折り畳み展開自在に取り付け、鉛直配管と分岐状配管と脚部とを一体構造としているため、使用時には組み立てが不要になって設置が容易になり、また、接続箇所が少なくなって軽量化を図れ、応急給水栓が一体構造となっていることとも相まって、持ち運びも楽に行える。
【００２２】
本考案の応急給水栓は、脚部が、鉛直配管にスライド自在に取り付けたスライド体と、スライド体に放射状で且つ回動自在に取り付けた複数本の支持脚と、複数本の支持脚にそれぞれ対応して配置され、一端部が対応する支持脚に回動自在に連結されると共に、他端部が鉛直配管に回動自在に連結された複数本のステーとから成り、スライド体又は何れか一本の支持脚の上端部を鉛直配管の上端部側へ引き上げることによって複数本の支持脚及びステーが放射状に開いて鉛直配管及び分岐状配管を支える開放位置になると共に、スライド体又は何れか一本の支持脚の上端部を鉛直配管の下端部側へ押し下げることによって複数本の支持脚及びステーが鉛直配管に沿う姿勢となる折り畳み位置へ折り畳まれる構成としているため、一回の操作で脚部を開放位置へ又は折り畳み位置へすることができ、応急給水栓の設置又は収納をワンタッチで簡単且つ容易に行える。
【００２３】
本考案の応急給水栓は、鉛直配管の中間部に、脚部の開放時にスライド体が当接して脚部の開脚角度を決定するストッパーを設け、前記ストッパーの鉛直配管への取り付け位置と各ステーの支持脚及び鉛直配管への連結個所は、脚部が開放位置になったときに、ステーが荷重を受けてステーに支持脚を鉛直配管側へ引き込む力が作用するようにし、この引き込む力と開脚した支持脚が荷重によって外方へ広がる力とが相殺されるようにしているため、脚部に荷重かかっても、脚部が安定した状態で開放位置に保持され、荷重に対する強度及び安定性を有することになる。
【００２４】
本考案の応急給水栓は、分岐状配管の各吐出口及び各吐出口に接続された複数の水栓を鉛直配管の軸線の周囲に配置する構成とし、応急給水栓の脚部が折り畳み位置になったときに、応急給水栓の前後方向の最大幅と左右方向の最大幅とが同程度の幅になるようにしているため、折り畳み収納状態のときには、平面視においてほぼ四角形状となり、分岐状配管を下向きにしても、或いは、脚部を下向きにしても、安定した姿勢で備蓄することができ、また、応急給水栓自体を横向きにしても、安定した形状となり、小さいスペースで大量に備蓄することができる。
即ち、本考案の応急給水栓は、上下左右どの向きであっても、安定した姿勢で収納することができる。
【００２５】
本考案の応急給水栓は、各水栓に可撓性のホースを接続しているため、給水時にホースの先端部をタンクの口やバケツの中に入れることによって水をこぼすことなく、給水することができる。
【００２６】
本考案の応急給水栓は、脚部の各支持脚に、反射テープを貼着又は蛍光塗料若しくは蓄光塗料を塗布しているため、夜間の照明が不十分である場所に設置していても、夜間に設置場所を容易に確認することができ、至極便利である。
また、本考案の応急給水栓は、夜間に設置場所を容易に確認することができるため、人に対して確実に注意を喚起でき、夜間に応急給水栓の近傍を通過する避難者や自転車等との接触事故を防止することができる。
【００２７】
本考案の応急給水栓は、鉛直配管の下端部に、給水ホースの下流側端部が接続される入水接続口と、前記給水ホースとは別の中継ホースの上流側端部が接続される吐出接続口とを設けているため、応急給水栓同士を中継ホースで接続することができる。
即ち、本考案の応急給水栓は、複数基の応急給水栓を連結して使用できるため、水栓の数が増え、飲料水や生活用水を一度に多数の被災者に迅速に分配することができ、至極便利である。
【図面の簡単な説明】
【００２８】
【図１】本考案の第１の実施形態に係る応急給水栓の使用状態を示し、応急給水栓を一基で使用する場合の応急給水栓の正面図である。
【図２】応急給水栓を一基で使用する場合を示し、一部の部材を省略した応急給水栓の平面図である。
【図３】図１に示す応急給水栓の折り畳み収納状態を示す正面図である。
【図４】図１に示す応急給水栓の折り畳み収納状態を示す一部省略平面図である。
【図５】本考案の第２の実施形態に係る応急給水栓を示し、地面に設置した状態の応急給水栓の正面図である。
【図６】図５に示す応急給水栓の一部省略平面図である。
【図７】図５に示す応急給水栓の折り畳み収納状態を示す正面図である。
【図８】図５に示す応急給水栓の折り畳み収納状態を示す平面図である。
【図９】複数基の応急給水栓を連結して使用する状態を示す正面図である。
【図１０】複数基の応急給水栓を連結して使用する状態を示す一部省略平面図である。
【考案を実施するための形態】
【００２９】
以下、本考案の実施形態を図面に基づいて詳細に説明する。
図１〜図４は本考案の第１の実施形態に係る応急給水栓１を示し、当該応急給水栓１は、地震や台風等の災害時において、被災者に飲料水や生活用水を配給するのに用いられ、給水車や消火栓、災害用貯水槽、給水タンク、仮設水槽等の給水源から飲料水や生活用水を多くの被災者に迅速に分配できるようにしたものであり、一基で使用するタイプのものである。
【００３０】
即ち、前記応急給水栓１は、鉛直配管２と、鉛直配管２の下端部に設けられ、給水ホース３の下流側端部が接続される入水接続口と、鉛直配管２の上端部に接続され、複数の吐出口を備えた分岐状配管４と、分岐状配管４の各吐出口に接続した複数の水栓５と、鉛直配管２に設けられ、放射状に折り畳み展開自在な複数本の支持脚６ａを備えた脚部６とから成り、前記脚部６が、複数本の支持脚６ａが放射状に開いて鉛直配管２及び分岐状配管４を支える開放位置（図１及び図２に示す位置）と、複数本の支持脚６ａが鉛直配管２に沿う姿勢となる折り畳み位置（図３及び図４に示す位置）とに亘って開閉自在に構成されている。
【００３１】
前記鉛直配管２は、食品衛生法に適合するステンレス材により形成されており、その下端部には給水車等の給水源（図示省略）に接続された給水ホース３の下流側端部が継手７を介して着脱自在に接続される入水接続口が設けられている。
【００３２】
前記入水接続口は、鉛直配管２の下端部に異径エルボ管８を接続することにより形成されており、異径エルボ管８が入水接続口となっている。
また、入水接続口を形成する異径エルボ管８の入口側と給水源に接続された給水ホース３の下流側端部とは、継手７を介して着脱自在に接続される。この実施形態においては、継手７には、カムロックアダプター７ａ及びカムロックカプラー７ｂから成るカムロック継手７が使用されており、カムロックアダプター７ａは、異径エルボ管８の入口側に取り付けられ、一方、カムロックカプラー７ｂは、給水ホース３の下流側端部に接続した媒介金具９に取り付けられている。
【００３３】
前記分岐状配管４は、鉛直配管２の上端部に設けられており、鉛直配管２の上端部に接続された筒状の鉛直姿勢の異径ソケット４ａと、異径ソケット４ａの上端部に接続された筒状の鉛直姿勢のオネジソケット４ｂと、オネジソケト４ｂの上端部に接続された鉛直姿勢の短管４ｃと、短管４ｃの上端部に接続された鉛直姿勢のチーズ管４ｄと、チーズ管４ｄの二つの出口にそれぞれ接続された水平姿勢の二つの短管４ｅと、二つの短管４ｅにそれぞれ接続された二つの水平姿勢のチーズ管４ｆと、各チーズ管４ｆの二つの出口にそれぞれ接続された四つの水平姿勢の短管４ｇと、四つの短管４ｇにそれぞれ接続された下向き姿勢の四つのオネジ付エルボ管４ｈとから成る。
また、分岐状配管４は、チーズ管４ｄ，４ｆ及び短管４ｃ，４ｅ，４ｇ等の配管部材を順次接続することにより平面視においてＨ形に形成されており、四つのオネジ付エルボ管４ｈの下向きの口が吐出口となっている。この四つの吐出口は、鉛直配管２の軸線の周囲に配置された格好になっている。
更に、分岐状配管４を形成する各配管部材は、何れも食品衛生法に適合するステンレス材により形成されており、プレス継手により接続されて相対的に回転しないようになっている。
【００３４】
前記水栓５は、分岐状配管４の各吐出口を形成する四つのオネジ付エルボ管４ｈにそれぞれ接続されており、鉛直配管２の軸線の周囲に配置された格好になっている。
また、各水栓５には、水栓５からタンク１０等へ給水を行い易いように合成樹脂製の可撓性のホース１１がステンレス製のホースニップル１２を介して接続されている。
これら各水栓５には、ステンレス製のコック式の止水バルブが使用され、また、ホース１１には、ポリ塩化ビニル製のホース１１が使用されている。
【００３５】
前記脚部６は、鉛直配管２に長手方向へスライド自在に取り付けられたスライド体６ｂと、スライド体６ｂに放射状で且つ回動自在に取り付けられ、先端部が地面に接地する複数本の支持脚６ａと、複数本の支持脚６ａにそれぞれ対応して配置され、一端部が対応する支持脚６ａに回動自在に連結されると共に、他端部が鉛直配管２に回動自在に連結された複数本のステー６ｃとから成り、スライド体６ｂ又は何れか一本の支持脚６ａの上端部を鉛直配管２の上端部側へ引き上げることによって複数本の支持脚６ａ及びステー６ｃが放射状に開いて鉛直配管２及び分岐状配管４を支える開放位置（図１及び図２に示す位置）になると共に、スライド体６ｂ又は何れか一本の支持脚６ａの上端部を鉛直配管２の下端部側へ押し下げることによって複数本の支持脚６ａ及び複数本のステー６ｃが鉛直配管２に沿う姿勢となる折り畳み位置（図３及び図４に示す位置）へ折り畳まれる構成となっている。
【００３６】
具体的には、前記スライド体６ｂは、鉛直配管２の外周面に長手方向へスライド自在に嵌合されたステンレス製の筒部材６ｂ′と、筒部材６ｂ′の外周面に放射状に設けたステンレス製の複数のブラケット６ｂ″とから成る。
【００３７】
前記各支持脚６ａは、ステンレス製のパイプによりそれぞれ形成されており、鉛直配管２の周囲に等角度間隔で四本配置され、その上端部がピン６ｄを介してスライド体６ｂのブラケット６ｂ″に回動自在に取り付けられている。
また、各支持脚６ａの先端部には、反射テープ１３が貼り付けられている。
更に、各支持脚６ａの下端には、滑り止め用のゴム部材１６ｅが、また、各支持脚６ａの上端には、キャップ１６ｆがそれぞれ嵌合されている。
【００３８】
前記各ステー６ｃは、ステンレス材によりそれぞれ形成されており、四本の支持脚６ａにそれぞれ対応するように四本配置され、一端部が対応する支持脚６ａの中間部にピン６ｄを介して回動自在に連結されると共に、他端部が鉛直配管２の下端部外周面に放射状に固着したステンレス製のブラケット６ｇにピン６ｄを介して回動自在に連結されている。
これら各ステー６ｃは、スライド体６ｂのスライドに伴い各支持脚６ａを開いたり、閉じたりする機能と、各支持脚６ａが所定の角度以上に開かないように制限する機能とを有している。
【００３９】
そして、前記脚部６は、鉛直配管２の中間部外周面に固定した環状のストッパー１４により開脚角度が決定されるようになっている。
また、前記ストッパー１４の鉛直配管２への取り付け位置と各ステー６ｃの支持脚６ａ及び鉛直配管２への連結個所は、脚部６が開放位置になったときに、ステー６ｃが荷重（鉛直配管２や分岐状配管４等の荷重及び被災者が水栓５を操作することによる受ける荷重）を受けてステー６ｃに支持脚６ａを鉛直配管２側へ引き込む力が作用するようにし、この引き込む力と開脚した支持脚６ａが前記荷重によって外方へ広がる力とが相殺されるように構成されている。
更に、脚部６の開脚角度及び支持脚６ａの長さは、脚部６が開放位置になったときに、入水接続口を形成する異径エルボ管８が地面から所定距離だけ離れた位置になるようにそれぞれ設定されている。これによって、入水接続口が土で汚されるのを防ぐことができる。
【００４０】
尚、この実施形態においては、前記応急給水栓１は、折り畳み収納時の全長が約６９０ｍｍに、折り畳み収納時の前後方向及び左右方向の最大幅が約２５０ｍｍに、使用時の高さが約７００ｍｍに、使用時の前後方向及び左右方向の最大幅が約８００ｍｍにそれぞれ設定されている。
また、応急給水栓１の重量は、約６．５ｋｇとなっている。
更に、応急給水栓１の入口接続部を形成する異径エルボ管８の向きは、脚部６を折り畳み位置にしたときに、異径エルボ管８が支持脚６ａと干渉しないようになっている。
【００４１】
以上のように構成した応急給水栓１は、折り畳み収納状態のときには、図３及び図４に示すように脚部６が折り畳み位置へ折り畳まれて四本の支持脚６ａ及びステー６ｃが鉛直配管２に沿う姿勢となっており、この状態で給水ホース３と一緒に倉庫等に収納されている。
このとき、水栓５に接続した四本の可撓性のホース１１は、図示していないが、ベルトやバンド等によって脚部６側へ締め付け固定されており、可撓性のホース１１がばらつかないようにしている。
【００４２】
前記応急給水栓１は、収納時には、脚部６を折り畳み位置にすることによって極めてコンパクトになり、小さいスペースで容易に備蓄することができる。
また、応急給水栓１は、分岐状配管４の各吐出口及び各吐出口に接続された複数の水栓５を鉛直配管２の軸線の周囲に配置する構成とし、応急給水栓１が折り畳み位置になったときに、応急給水栓１の前後方向の最大幅と左右方向の最大幅とが同程度の幅になるようにしているため、折り畳み収納状態のときには、平面視においてほぼ四角形状となり、分岐状配管４を下向きにしても、或いは、脚部６を下向きにしても、安定した姿勢で備蓄することができ、また、応急給水栓１自体を横向きにしても、安定した姿勢で備蓄することができる。
【００４３】
そして、地震や台風等の災害時において、給水車や消火栓等の給水源から被災者に飲料水や生活用水を配給する必要が生じた場合には、倉庫等に収納している応急給水栓１を使用現場まで持ち運ぶ。
このとき、応急給水栓１は、鉛直配管２に脚部６を放射状に折り畳み展開自在に取り付け、鉛直配管２と分岐状配管４と脚部６とを一体構造としているため、接続箇所が少なくなって軽量化を図れ、応急給水栓１が一体構造となっていることとも相まって、使用現場への持ち運びも楽に行える。
【００４４】
応急給水栓１を使用現場へ持ち運んだら、スライド体６ｂ又は何れか一本の支持脚６ａの上端部を鉛直配管２の下端部側へ押し下げると、複数本の支持脚６ａ及びステー６ｃが放射状に開いて脚部６が鉛直配管２及び分岐状配管４を支える開放位置になる。
このとき、応急給水栓１は、使用時において脚部６を折り畳み位置から開放位置に開くだけで良く、組み立てが一切不要となって初心者や老人等であっても簡単かつ容易に設置することができる。
また、応急給水栓１の収納時においても、脚部６を開放位置から折り畳み位置へ閉じるだけで良く、応急給水栓１の収納をワンタッチで簡単且つ容易に行える。
【００４５】
応急給水栓１を設置したら、図１に示すように入水接続口と給水源とを給水ホース３で接続し、給水源から給水ホース３を介して水を応急給水栓１に供給する。
このとき、入水接続口を形成する異径エルボ管８の向きを、異径エルボ管８の水平軸線が複数本の支持脚６ａのうちの何れかの支持脚６ａへ向くようにしておけば、給水ホース３に水圧がかかって応急給水栓１を押しても、応急給水栓１が引っ繰り返り難くなる。
【００４６】
そして、被災者は、タンク１０やバケツ等を持って応急給水栓１の所まで行き、可撓性のホース１１をタンク１０の口やバケツ内に入れ、水栓５を開いて水をタンク１０内やバケツ内に入れる。
このとき、可撓性のホース１１の先端部をタンク１０の口やバケツの中にいれているため、水をこぼすことなく、給水することができる。
また、応急給水栓１の脚部６が開放位置になっているときには、各ステー６ｃが荷重（鉛直配管２や分岐状配管４等の荷重及び被災者が水栓５を操作することによる受ける荷重）を受けてステー６ｃに支持脚６ａを鉛直配管２側へ引き込む力が作用し、この引き込む力と荷重を受けた支持脚６ａが外方へ広がる力とが相殺されるようになっているため、応急給水栓１は、脚部６に荷重かかっても、脚部６が安定した状態で開放位置に保持され、荷重に対する強度及び安定性を有することになる。
更に、夜間等において、応急給水栓１を使用する場合、反射テープ１３を貼り付けているため、夜間の照明が不十分である場所に設置していても、応急給水栓１の設置場所を容易に確認することができる。
【００４７】
図５〜図８は本考案の第２の実施形態に係る応急給水栓１を示し、当該応急給水栓１は、鉛直配管２の下端部に、給水ホース３の下流側端部が接続される入水接続口と、前記給水ホース３とは別の中継ホース１５の上流側端部が接続される吐出接続口とを設けたものであり、上述した第１の実施形態に係る応急給水栓１と組み合せて使用し、複数基の応急給水栓１を連結して使用できるタイプのものである。
【００４８】
即ち、前記応急給水栓１の入水接続口及び吐出接続口は、鉛直配管２の下端部に異径チーズ管１６を接続することにより形成されており、同一軸線上に位置する異径チーズ管１６の一方の口が入水接続口となっていると共に、同一軸線上に位置する異径チーズ管１６の他方の口が入水接続口となっている。
また、入水接続口と給水源に接続された給水ホース３の下流側端部とは、継手７を介して着脱自在に接続されている。
更に、吐出接続口と中継ホース１５の上流側端部とは、継手７を介して着脱自在に接続されている。
【００４９】
前記各継手７には、カムロックアダプター７ａ及びカムロックカプラー７ｂから成るカムロック継手７がそれぞれ使用されており、入水接続口には、カムロックアダプター７ａが取り付けられていると共に、吐出接続口には、カムロックカプラー７ｂが取り付けられている。
また、給水ホース３の下流側端部に接続した媒介金具９には、カムロックカプラー７ｂが取り付けられている。
更に、中継ホース１５の上流側端部には、カムロックアダプター７ａが取り付けられていると共に、中継ホース１５の下流側端部には、カムロックカプラー７ｂが取り付けられている。
【００５０】
尚、本考案の第２の実施形態に係る応急給水栓１は、鉛直配管２の下端部に異径チーズ管１６を接続したことが、本考案の第１の実施形態に係る応急給水栓１と異なっており、鉛直配管２、分岐状配管４、水栓５、可撓性のホース１１、脚部６、ストッパー１４等の構造及び形状等は本考案の第１の実施形態に係る応急給水栓１のものと同様構造に構成されている。そのため、第１の実施形態に係る応急給水栓１と同一の部材・部位には同一の参照番号を付し、その詳細な説明を省略する。
【００５１】
以上のように構成した応急給水栓１は、折り畳み収納状態のときには図７及び図８に示すように脚部６が折り畳み位置へ折り畳まれて四本の支持脚６ａ及びステー６ｃが鉛直配管２に沿う姿勢となっており、この状態で中継ホース１５と一緒に倉庫等に収納されている。
このとき、水栓５に接続した四本の可撓性ホース１１は、図示していないが、ベルトやバンド等によって脚部６側へ締め付け固定されており、可撓性のホース１１がばらつかないようにしている。
【００５２】
そして、地震や台風等の災害時において、給水車や消火栓等の給水源から被災者に飲料水や生活用水を配給する必要が生じた場合には、倉庫等に収納している上述した応急給水栓１と第１の実施形態に係る応急給水栓１とを使用現場まで持ち運ぶ。
【００５３】
二種類の応急給水栓１を使用現場へ持ち運んだら、両方の応急給水栓１の脚部６をそれぞれ開放して地面に一定の間隔を開けて設置し、図９及び図１０に示すように第２の実施形態に係る応急給水栓１の入水接続口と給水源とを給水ホース３で接続すると共に、第２の実施形態に係る応急給水栓１の吐出接続口と第１の実施形態に係る応急給水栓１の入水接続口とを中継ホース１５で接続する。
【００５４】
被災者は、タンク１０やバケツ等を持って二つの応急給水栓１の所まで行き、可撓性のホース１１をタンク１０の口やバケツ内に入れ、水栓５を開いて水をタンク１０内やバケツ内に入れる。
【００５５】
上述した第２の実施形態に係る応急給水栓１は、収納時及び使用時において第１の実施形態に係る応急給水栓１と同様の作用効果を奏することができる。
特に、第２の実施形態に係る応急給水栓１は、鉛直配管２の下端部に、給水ホース３の下流側端部が接続される入水接続口と、前記給水ホース３とは別の給水ホース３の上流側端部が接続される吐出接続口とを設けているため、応急給水栓１同士を中継ホース１５で接続することができる。
即ち、前記応急給水栓１は、複数基の応急給水栓１を連結して使用できるため、水栓５の数が増え、飲料水や生活用水を一度に多数の被災者に迅速に分配することができ、至極便利である。
【００５６】
尚、上記の各実施形態においては、鉛直配管２及び分岐状配管４の各配管部材を何れもステンレス材により形成したが、他の実施形態においては、鉛直配管２及び分岐状配管４の各配管部材をステンレス材と同じく食品衛生法に適合するアルミニウム合金材により形成しても良く、或いは、他の金属材や合成樹脂材により形成するようにしても良い。
【００５７】
また、上記の各実施形態においては、各支持脚６ａの先端部に反射テープ１３を貼り付けるようにしたが、他の実施形態に於いては、各支持脚６ａの先端部に蛍光塗料又は蓄光塗料を塗布するようにしても良い。
【００５８】
更に、上記の各実施形態においては、分岐状配管４に四つの吐出口を形成し、各吐出口に水栓５を取り付けるようにしたが、分岐状配管４の吐出口の数及び水栓５の数は、上記の実施形態に係るものに検定されるものではなく、吐出口及び水栓５が鉛直配管２の軸線の周囲に配置されておれば、如何なる数であっても良い。
また、分岐状配管４の形状や構造も、上記の実施形態に係るものに限定されるものではなく、吐出口が鉛直配管２の軸線の周囲に配置されておれば、分岐状配管４の形状や構造は、如何なるものであっても良い。
【００５９】
更に、上記の各実施形態においては、脚部６の支持脚６ａ及びステー６ｃの数をそれぞれ四本ずつとしたが、他の実施形態においては、脚部６の支持脚６ａ及びステー６ｃの数をそれぞれ三本ずつとしても良く、或いは、その他の本数であっても良い。また、脚部６を形成する支持脚６ａ及びステー６ｃ等の材質も、如何なる材質であっても良い。
【００６０】
更に、上記の各実施形態においては、入水接続口（異径エルボ管８）と給水ホース３、入水接続口（異径チーズ管１６）と給水ホース３、吐出接続口（異径チーズ管１６）と中継ホース１５、入水接続口（異径エルボ管８）と中継ホース１５とをそれぞれカムロック継手７で接続するようにしたが、他の実施形態においては、カムロック継手７の替わりに町野式（登録商標）の継手７を使用するようにしても良い。
【００６１】
更に、図９及び図１０に示す応急給水栓１の使用状態においては、第１の実施形態に係る応急給水栓１と第２の実施形態に係る応急給水栓１とを一基ずつ使用するようにしたが、第１の実施形態に係る応急給水栓１を一基使用し、第２の実施形態に係る応急給水栓１を複数基使用し、これらを直線状に連結するようにしても良い。
【符号の説明】
【００６２】
１は応急給水栓、２は鉛直配管、３は給水ホース、４は分岐状配管、４ａは異径ソケット、４ｂはオネジソケット、４ｃは短管、４ｄはチーズ管、４ｅは短管、４ｆはチーズ管、４ｇは短管、４ｈはオネジ付エルボ管（吐出口）、５は水栓、６は脚部、６ａは支持脚
６ｂはスライド体、６ｂ′は筒部材、６ｂ″はブラケット、６ｃはステー、６ｄはピン、６ｅはゴム部材、６ｆはキャップ、６ｇはブラケット、７は継手、７ａはカムロックアダプター、７ｂはカムロックカプラー、８は異径エルボ管（入水接続口）、９は媒介金具、１０はタンク、１１は可撓性のホース、１２はホースニップル、１３は反射テープ、１４はストッパー、１５は中継ホース、１６は異径チーズ管（入水接続口及び吐出接続口）。
【図１】
0003181093.tif 000003
【図２】
0003181093.tif 000004
【図３】
0003181093.tif 000005
【図４】
0003181093.tif 000006
【図５】
0003181093.tif 000007
【図６】
0003181093.tif 000008
【図７】
0003181093.tif 000009
【図８】
0003181093.tif 000010
【図９】
0003181093.tif 000011
【図１０】
0003181093.tif 000012